(57)【要約】【課題】  サビ部分などの任意のフレーズを設定することができる情報再生方法、情報再生プログラムおよび情報再生装置を提供すること。【解決手段】  情報再生装置４００は、情報再生部４０５によって楽曲情報を再生する。そして、楽曲情報の再生中に、出力音声、出力映像、音声レベルなどを参照して、再生区間指定部４１１によって、タッチパネル上でサビなどの任意のフレーズの開始時刻と終了時刻を指定する。そして、再生区間情報生成部４１２によって、フレーズの開始時刻と終了時刻からなるフレーズ（再生区間）を示すフレーズ情報ファイルを生成する。また、フレーズ情報ファイルとその楽曲情報を抽出してフレーズ部分のみ再生したり、楽曲情報全体を再生する場合、音質変更部４１０によってフレーズ部分のみの音質を変更して再生することもできる。【選択図】      図４
2005100541.tif 000002
【特許請求の範囲】
【請求項１】
連続的に再生される再生情報における任意の複数の再生位置を指定する再生位置指定工程と、
前記再生位置指定工程によって指定された複数の再生位置に基づいて、前記再生情報における一部の再生区間を示す再生区間情報を生成する再生区間情報生成工程と、
を含んだことを特徴とする情報再生方法。
【請求項２】
連続的に再生される再生情報の任意の再生位置を指定する再生位置指定工程と、
前記再生位置指定工程によって指定された再生位置とあらかじめ設定された再生位置とに基づいて、前記再生情報における一部の再生区間を示す再生区間情報を生成する再生区間情報生成工程と、
を含んだことを特徴とする情報再生方法。
【請求項３】
前記再生位置指定工程は、時系列的に表示される前記再生情報の再生経過状況に基づいて、前記再生位置を指定することを特徴とする請求項１または２に記載の情報再生方法。
【請求項４】
前記再生情報から、前記一部の再生区間において再生される一部の再生情報を抽出する再生情報抽出工程と、
前記再生情報抽出工程によって抽出された前記一部の再生情報を再生する一部再生工程と、
を含んだことを特徴とする請求項１〜３のいずれか一つに記載の情報再生方法。
【請求項５】
前記一部再生工程によって前記一部の再生情報が再生されている間、前記一部の再生情報が抽出された再生情報の指定を受け付ける再生情報指定工程と、
前記再生情報指定工程によって指定が受け付けられた再生情報を再生する情報再生工程と、
を含んだことを特徴とする請求項１〜４のいずれか一つに記載の情報再生方法。
【請求項６】
前記一部の再生区間における一部の再生情報を、前記一部の再生区間以外の再生情報とは異なる音質の音声として出力する音声出力工程を含んだことを特徴とする請求項１〜５のいずれか一つに記載の情報再生方法。
【請求項７】
請求項１〜請求項６のいずれか一つに記載の情報再生方法を、コンピュータに実行させることを特徴とする情報再生プログラム。
【請求項８】
再生情報を連続的に再生する情報再生手段と、
前記再生情報おける任意の複数の再生位置を指定する指定手段と、
前記指定手段によって指定された複数の再生位置に基づいて、前記再生情報における一部の再生区間を示す再生区間情報を生成する再生区間情報生成手段と、
を備えたことを特徴とする情報再生装置。
【請求項９】
再生情報を連続的に再生する情報再生手段と、
前記再生情報における任意の再生位置を指定する指定手段と、
前記指定手段によって指定された前記再生位置と、あらかじめ設定された再生位置とに基づいて、前記再生情報における一部の再生区間を示す再生区間情報を生成する再生区間情報生成手段と、
を備えたことを特徴とする情報再生装置。
【請求項１０】
連続的に再生される再生情報の再生経過状況を時系列的に表示する表示手段を備え、
前記指定手段は、前記表示手段によって表示された再生情報の再生経過状況に基づいて、前記再生位置を指定することを特徴とする請求項８または９に記載の情報再生装置。
【請求項１１】
前記再生情報から、前記一部の再生区間内において再生される一部の再生情報を抽出する再生情報抽出手段を備え、
前記情報再生手段は、前記再生情報抽出手段によって抽出された前記一部の再生情報を再生することを特徴とする請求項８〜１０のいずれか一つに記載の情報再生装置。
【請求項１２】
前記情報再生手段によって前記一部の再生情報が再生されている間、前記一部の再生情報が抽出された再生情報を指定する再生情報指定手段を備え、
前記情報再生手段は、前記再生情報指定手段によって指定された再生情報を再生することを特徴とする請求項１１に記載の情報再生装置。
【請求項１３】
前記再生区間情報生成手段により再生区間情報が生成された再生情報が、前記再生区間情報によって示される再生区間内を再生しているか否かを判定する再生区間判定手段と、
前記再生区間判定手段によって判定された判定結果に基づいて、前記再生情報によって出力される音声の音質を変更する音質変更手段と、
を備えることを特徴とする請求項１０〜１２のいずれか一つに記載の情報再生装置。
【発明の詳細な説明】
【技術分野】
【０００１】
この発明は、情報再生方法、情報再生プログラムおよび情報再生装置に関する。ただし、この発明の利用は、上述の情報再生方法、情報再生プログラムおよび情報再生装置には限らない。
【背景技術】
【０００２】
ユーザが任意に選択した複数の曲でメドレー演奏を実行することができる記録媒体及び再生装置が既に知られている。この記録媒体及び再生装置では、楽曲データの一部、たとえばサビの部分などの再生位置を示すアドレス情報を抽出再生データとして記録媒体に記録するか、もしくは収納されている記録媒体に対応してＲＯＭカードなどに保持するようにする。
【０００３】
そしてプログラム指定された各曲については、それぞれ抽出再生データに基づいて一部のみ（エントリーポイントからエクジットポイントまで）を再生していく。これによって各曲のサビ部分などがつなげられた再生演奏となり、いわゆるメドレー形式の演奏となる（たとえば、下記特許文献１参照。）。
【０００４】
【特許文献１】特開平８−１４７９４２号公報
【発明の開示】
【発明が解決しようとする課題】
【０００５】
しかしながら、上述した記録媒体及び再生装置では、記録媒体又はＲＯＭカードに記録された抽出再生データが記録媒体の製作者によって予め作成されたものであるため、再生装置では、この記録媒体の製作者の意図により作成された抽出再生データに基づいて曲の一部を再生することとなる。
【０００６】
すなわち、この抽出再生データによって特定される曲の一部のアドレス位置やアドレス長をユーザが変更したいと欲したとしても、上述した従来の記録媒体及び再生装置ではその抽出再生データを変更することができないため、ユーザの所望する曲の一部を抽出して再生させることができない。つまり、記録媒体の製作者の意図により作成された抽出再生データによる演奏を強いられていた。
【０００７】
また、上述した従来の記録媒体及び再生装置では、記録媒体の製作者が予め作成した抽出再生データによって特定される曲の一部以外の他の部分を抽出して再生することもできず、利便性に劣るものであった。本発明は、少なくともそのような事情を解消することを一つの課題として為されたものである。
【課題を解決するための手段】
【０００８】
請求項１の発明にかかる情報再生方法は、連続的に再生される再生情報における任意の複数の再生位置を指定する再生位置指定工程と、前記再生位置指定工程によって指定された複数の再生位置に基づいて、前記再生情報における一部の再生区間を示す再生区間情報を生成する再生区間情報生成工程と、を含んだことを特徴とする。
【０００９】
また、請求項２の発明にかかる情報再生方法は、連続的に再生される再生情報の任意の再生位置を指定する再生位置指定工程と、前記再生位置指定工程によって指定された再生位置とあらかじめ設定された再生位置とに基づいて、前記再生情報における一部の再生区間を示す再生区間情報を生成する再生区間情報生成工程と、を含んだことを特徴とする。
【００１０】
また、請求項７の発明にかかる情報再生プログラムは、請求項１〜請求項６のいずれか一つに記載の情報再生方法を、コンピュータに実行させることを特徴とする。
【００１１】
また、請求項８の発明にかかる情報再生装置は、再生情報を連続的に再生する情報再生手段と、前記再生情報おける任意の複数の再生位置を指定する指定手段と、前記指定手段によって指定された複数の再生位置に基づいて、前記再生情報における一部の再生区間を示す再生区間情報を生成する再生区間情報生成手段と、を備えたことを特徴とする。
【００１２】
また、請求項９の発明にかかる情報再生装置は、再生情報を連続的に再生する情報再生手段と、前記再生情報における任意の再生位置を指定する指定手段と、前記指定手段によって指定された前記再生位置と、あらかじめ設定された再生位置とに基づいて、前記再生情報における一部の再生区間を示す再生区間情報を生成する再生区間情報生成手段と、を備えたことを特徴とする。
【発明を実施するための最良の形態】
【００１３】
以下に添付図面を参照して、この発明にかかる情報再生方法、情報再生プログラム、および情報再生装置の好適な実施の形態を詳細に説明する。
（情報再生装置のハードウェア構成）
図１は、この発明の実施の形態にかかる情報再生装置のハードウェア構成を示すブロック図である。図１において、情報再生装置は、ＣＰＵ１０１と、ＲＯＭ１０２と、ＲＡＭ１０３と、ＨＤＤ（ハードディスクドライブ）１０４と、ＨＤ（ハードディスク）１０５と、ＣＤ／ＤＶＤドライブ１０６と、着脱可能な記録媒体の一例としてのＣＤ／ＤＶＤ１０７と、入力Ｉ／Ｆ（インターフェース）１０８と、リモコン１０９と、キーボード／マウス１１０と、映像Ｉ／Ｆ（インターフェース）１１１と、ディスプレイ／タッチパネル１１２と、音声Ｉ／Ｆ（インターフェース）１１３と、スピーカ（ヘッドホン）１１４と、通信Ｉ／Ｆ（インターフェース）１１５と、を備えている。また、各構成部１０１〜１１５はバス１００によってそれぞれ接続されている。
【００１４】
ここで、ＣＰＵ１０１は、情報再生装置の全体の制御を司る。ＲＯＭ１０２は、ブートプログラムなどのプログラムを記憶している。ＲＡＭ１０３は、ＣＰＵ１０１のワークエリアとして使用される。ＨＤＤ１０４は、ＣＰＵ１０１の制御にしたがってＨＤ１０５に対するデータのリード／ライトを制御する。ＨＤ１０５は、ＨＤＤ１０４の制御で書き込まれたデータを記憶する。
【００１５】
ＣＤ／ＤＶＤドライブ１０６は、ＣＰＵ１０１の制御にしたがってＣＤ／ＤＶＤ１０７に対するデータのリード／ライトを制御する。ＣＤ／ＤＶＤ１０７は、ＣＤ／ＤＶＤドライブ１０６の制御にしたがって記録されたデータの読み出される着脱自在な記録媒体である。ＣＤ／ＤＶＤ１０７として、書き込み可能な記録媒体を利用することもできる。また、この着脱可能な記録媒体として、ＣＤ／ＤＶＤ１０７のほか、ＣＤ−ＲＯＭ（ＣＤ−Ｒ、ＣＤ−ＲＷ）、ＭＯ、メモリーカードなどであってもよい。
【００１６】
また、入力Ｉ／Ｆ１０８は、文字、数値、各種指示等の入力のための複数のキーを備えたリモコン１０９やキーボード／マウス１１０から送信されてくるデータを入力する。また、不図示であるが必要に応じて出力Ｉ／Ｆを設け、この出力Ｉ／Ｆを介して文字や画像を光学的に読み取るスキャナや、文字や画像を印刷するプリンタを接続することができる。
【００１７】
また、映像Ｉ／Ｆ１１１は、映像表示用のディスプレイ／タッチパネル１１２と接続される。ディスプレイ／タッチパネル１１２には、アイコン、カーソル、メニュー、ウインドウ、あるいは文字や画像等の各種データが表示される。このディスプレイ１１２は、たとえば、ＣＲＴ、ＴＦＴ液晶ディスプレイ、プラズマディスプレイなどを採用することができる。また、タッチパネル１１２の場合は、入力Ｉ／Ｆ１０８に接続され、タッチパネル１１２の押下／非押下を検出して入力Ｉ／Ｆ１０８にデータを入力する。
【００１８】
また、音声Ｉ／Ｆ１１３は、音声出力用のスピーカ（あるいはヘッドホン）１１４に接続され、スピーカ１１４からは音声が出力される。また、通信Ｉ／Ｆ１１５は、無線、あるいは通信ケーブルを介してネットワーク１１６に接続され、このネットワーク１１６とＣＰＵ１０１とのインターフェースとして機能する。ネットワーク１１６は、ＬＡＮ、ＷＡＮ、公衆回線網や携帯電話網等がある。
【００１９】
つぎに、音声Ｉ／Ｆ１１３のハードウェア構成の一例について説明する。図２は、音声Ｉ／Ｆ１１３のハードウェア構成の一例を示すブロック図である。図２に示すように、音声Ｉ／Ｆ１１３は、たとえば、ＦＩＦＯメモリ（ＤＳＰＦＩＦＯＳ）２０１と、パラレル・シリアル変換部２０２と、ＤＳＰ（デジタルシグナルプロセッサ）２０３と、Ｄ／Ａ変換器２０４と、アンプ２０５と、音質変更回路２０６と、から構成されている。
【００２０】
ＦＩＦＯメモリ２０１は、ＣＰＵ１０１から転送されるデータを一時的に記憶し、ＤＳＰ２０３へ音声データを転送するためのメモリである。パラレル・シリアル変換部２０２は、ＦＩＦＯメモリ２０１から転送されてくるパラレルな音声データをシリアルな音声データに変換する。ＤＳＰ２０３は、パラレル・シリアル変換部２０２から出力されるシリアルな音声データをデジタル処理する。Ｄ／Ａ変換器２０４は、デジタル処理された音声データをアナログ変換する。アンプ２０５はアナログ変換された音声データを増幅して、スピーカ１１４に出力する。
【００２１】
音質変更回路２０６は、たとえば、ボーカルキャンセル回路２０７、エコー調整回路２０８、音量調整回路２０９などから構成されている。ボーカルキャンセル回路２０７は、ＣＰＵ１０１からの指令により、ボーカル音をキャンセルする。たとえば、左右のスピーカ１１４に出力される音楽データのボーカル音を相殺して、ボーカル音の音量を低下させることができる。エコー調整回路２０８は、ＣＰＵ１０１からの指令により、エコーレベルを増減する。音量調整回路２０９は、ＣＰＵ１０１からの指令により、アンプ２０５による増幅量を制御して、音量を調整する。
【００２２】
（再生情報データベースの構成）
つぎに、連続的に再生される再生情報を格納する再生情報データベース３００について説明する。再生情報データベース３００は、たとえば、図１に示したＲＯＭ１０２、ＲＡＭ１０３、ＨＤ１０５、ＣＤ／ＤＶＤ１０７などによって、その機能を実現するものである。図３は、この再生情報データベース３００のデータ構造を示す説明図である。
【００２３】
なお、再生情報としては、たとえば、音声情報や映像情報が挙げられる。音声情報の一例としては、たとえば、楽曲をあらわす楽曲情報、その他、会話内容、効果音などの音声情報が挙げられる。また、映像情報の一例としては、たとえば、映画、音楽のライブ映像、ドキュメンタリーなど市販されている映像コンテンツ、テレビ番組を録画した映像、ビデオカメラで撮影した映像などの映像情報が挙げられる。ここでは、再生情報データベース３００に格納される再生情報の一例として、楽曲情報を用いて説明する。
【００２４】
図３に示すように、再生情報の一例である楽曲情報は、ディスク情報３０１を備えている。ディスク情報３０１は、ディスク番号と、アルバム名と、アーティスト名と、を有している。また、各ディスク情報３０１には、トラック情報３０２が付加されている。トラック情報３０２は、トラック番号と、曲名と、再生開始時間や再生終了時間、再生経過時間等からなる再生時間情報と、楽曲データファイルと、から構成されている。
【００２５】
なお、再生時間情報により楽曲情報の再生位置の特定が可能となる。再生開始時間は楽曲情報の再生開始位置を特定し、再生終了時間は楽曲情報の再生終了位置を特定する。そして、再生経過時間情報は再生開始時間から楽曲情報の再生が経過した時間を示すものであり、その再生経過時間情報を指定することにより再生位置の特定が可能となる。この再生時間情報は、楽曲情報の再生位置を示すアドレス位置として機能する。
【００２６】
また、楽曲データファイルは、たとえば、ＭＰ３（MPEG-1 Audio Layer3）、ＷＭＡなどの音声圧縮フォーマットによって構成されている。なお、音声圧縮フォーマットは、このほか、ＡＴＲＡＣ３（Adaptive TRansform Acoustic Coding 3）、ＭＰＥＧ−２ＡＡＣ（Advanced Audio Coding）、ＭＰ４（MPEG-1 Audio Layer4）、ＱＤｅｓｉｇｎ Ｍｕｓｉｃ Ｃｏｄｅｃ、ＴｗｉｎＶＱ（Transform-Domain Weighted Interleave Vector Quantization）など種々の音声圧縮フォーマットも採用することができる。なお、楽曲データファイルは非圧縮のデータフォーマットであってもよい。
（情報再生装置の機能的構成）
つぎに、この発明の実施の形態にかかる情報再生装置の機能的構成について説明する。図４は、この発明の実施の形態にかかる情報再生装置の機能的構成を示すブロック図である。図４に示すように、情報再生装置４００は、再生処理入力部４０１と、再生区間設定部４０２と、再生区間情報データベース４０３と、再生情報抽出部４０４と、情報再生部４０５と、音声出力部４０６と、表示部４０７と、予約入力部４０８と、再生区間判定部４０９と、音質変更部４１０と、再生情報データベース３００（図３を参照。）と、から構成されている。
【００２７】
再生処理入力部４０１は、再生情報の選択やサーチ、選択された再生情報の再生開始、再生停止、一時停止、早送り、巻戻し、スキップ、ランダム再生、プレイリスト作成、生成された再生区間情報による区間再生など再生に関する再生入力をおこなう。この再生処理入力部４０１は、たとえば、図１に示したリモコン１０９、キーボード／マウス１１０、タッチパネル１１２、その他図示しない入力キーなどによって、または、図１に示した入力Ｉ／Ｆ１０８によって、その機能を実現する。
【００２８】
また、再生区間設定部４０２は、再生区間指定部４１１と、再生区間情報生成部４１２と、から構成されている。再生区間指定部４１１は、再生情報の任意の複数の再生位置を指定する。また、指定した再生位置の微調整操作をおこなう。また、再生区間の決定入力をおこなう。この再生区間指定部４１１は、たとえば、図１に示したリモコン１０９、キーボード／マウス１１０、タッチパネル１１２、その他図示しない入力キーなどによって、または、図１に示した入力Ｉ／Ｆ１０８によって、その機能を実現する。
【００２９】
再生区間情報生成部４１２は、再生区間指定部４１１によって指定された再生位置に基づいて、再生情報の一連の再生における一部の再生区間を示す再生区間情報を生成する。具体的には、再生区間指定部４１１によって指定された複数の再生位置によって再生区間を設定し、その再生区間における再生情報（以下、この再生情報を一部の再生情報と称して説明する）の再生開始位置、再生終了位置、一部の再生情報を特定する情報などによって再生区間情報を生成する。この再生区間情報の詳細については後述する。再生区間情報生成部４１２は、たとえば、図１に示したＲＯＭ１０２、ＲＡＭ１０３、ＨＤ１０５、ＣＤ／ＤＶＤ１０７などの記録媒体に格納されているプログラムを、ＣＰＵ１０１が実行することによって、その機能を実現する。
再生区間情報データベース４０３は、再生区間情報生成部４１２によって生成された再生区間情報を記憶する。この再生区間情報データベース４０３は、たとえば、図１に示したＲＯＭ１０２、ＲＡＭ１０３、ＨＤ１０５、ＣＤ／ＤＶＤ１０７などによって、その機能を実現する。
【００３０】
再生情報抽出部４０４は、再生区間情報データベース４０３に記憶されている再生区間情報と、再生情報データベース３００に記憶されている再生情報と、に基づいて、再生情報から、その再生区間における一部の再生情報を抽出する。この再生情報抽出部４０４は、たとえば、図１に示したＲＯＭ１０２、ＲＡＭ１０３、ＨＤ１０５、ＣＤ／ＤＶＤ１０７などの記録媒体に格納されているプログラムを、ＣＰＵ１０１が実行することによって、その機能を実現する。
【００３１】
情報再生部４０５は、再生情報データベース３００に記憶されている再生情報の再生処理を実行する。具体的には、再生処理入力部４０１または再生情報指定部４０８からの指定にしたがって、選択またはサーチされた再生情報の再生開始、再生停止、一時停止、早送り、巻戻し、スキップ、ランダム再生、プレイリスト作成などの再生処理をおこなう。
【００３２】
また、情報再生部４０５は、再生情報抽出部４０４によって抽出された一部の再生情報の再生処理も実行する。この情報再生部４０５は、たとえば、図１に示したＲＯＭ１０２，ＲＡＭ１０３，ＨＤ１０５，ＣＤ／ＤＶＤ１０７などの記録媒体に格納されているプログラムを、ＣＰＵ１０１が実行することによって、その機能を実現する。
【００３３】
再生情報指定部４０８は、情報再生部４０５によって一部の再生情報が再生されている間、一部の再生情報を含む再生情報の再生指定をおこなう。すなわち、一部の再生情報の再生中に、再生情報全体を再生するための予約をおこなうための機能である。再生情報指定部４０８は、たとえば、図１に示したリモコン１０９、キーボード／マウス１１０、タッチパネル１１２、その他図示しない入力キーなどによって、または、図１に示した入力Ｉ／Ｆ１０８によって、その機能を実現する。
【００３４】
音声出力部４０６は、情報再生部４０５によって再生処理されている再生情報の音声を出力する。この音声出力部４０６は、図１および図２に示した音声Ｉ／Ｆ１１３によって、または、スピーカ（ヘッドホン）１１４によって、その機能を実現する。
【００３５】
表示部４０７は、連続的に再生される再生情報の再生経過状況を時系列的に表示する。たとえば、再生情報の音声レベルなどの出力状態の時間軸方向における変化を表示することができる。また、単に、再生情報が、全再生時間中、どの程度まで再生されているかといった状況を、バー表示にて表示することもできる。
また、表示部４０７は、情報再生部４０５によって再生処理されている再生情報の映像を表示することもできる。さらに、現在再生されている再生情報の再生経過時間情報やグラフィックイコライザなども表示することができる。さらに、再生処理入力部４０１、再生区間指定部４１１、再生情報指示部４０８を示す入力キーなども表示することができる。この表示部４０７は、図１に示したディスプレイ／タッチパネル１１２、または映像Ｉ／Ｆ１１１によってその機能を実現する。
【００３６】
再生区間判定部４０９は、再生区間情報生成部４１２により再生区間情報が生成された再生情報が、再生区間情報によって示される再生区間の一部の再生情報を再生しているか否かを判定する。具体的には、再生情報の現在再生されている再生情報の再生位置が、一部の再生情報の再生開始位置及び再生終了位置との間に存在するか否か、及びその再生開始位置と再生終了位置と現在の再生位置と、が一致するか否かによって判定することができる。この再生区間判定部４０９は、たとえば、図１に示したＲＯＭ１０２、ＲＡＭ１０３、ＨＤ１０５、ＣＤ／ＤＶＤ１０７などの記録媒体に格納されているプログラムを、ＣＰＵ１０１が実行することによって、その機能を実現する。
【００３７】
音質変更部４１０は、再生区間判定部４０９によって判定された判定結果に基づいて、一部の再生情報が音声として出力される際の音声の音質を変更する。具体的には、一部の再生情報が音声として出力される際の音声の音質と、一部の再生情報以外の再生情報が音声として出力される際の音声の音質と、を切り替えることによって変更する。
【００３８】
たとえば、一部の再生情報の再生開始位置に到達するまでに出力される音声の音質と、一部の再生情報を再生することによって出力される音声の音質とを、異なる音質に変更することができる。また、一部の再生情報を再生することによって出力される音声の音質と、一部の再生情報の再生終了位置以降（一部の再生情報の出力完了後）に出力される音声の音質とを、異なる音質に変更することができる。一部の再生情報の再生開始位置に到達するまでに出力される音声の音質と、一部の再生情報の再生終了後に出力される音声の音質とは、同音質であってもよく、異なる音質であってもよい。
【００３９】
また、音質の変更は、図２に示す音声Ｉ／Ｆ１１３に設けられている音質変更回路２０６（たとえば、ボーカルキャンセル回路２０７、エコー調整回路２０８、音量調整回路２０９など）を調整することによっておこなうことができる。たとえば、ボーカルキャンセル回路２０７によって、再生区間外と再生区間内とでボーカル音の出力を変更することができる。また、エコー調整回路２０８によって、再生区間外と再生区間内とでエコーの強弱を変更することもできる。
【００４０】
さらに、音量調整回路２０９によって、再生区間外と再生区間内とで音量を変更することができる。この音質変更部４１０は、たとえば、図１に示したＲＯＭ１０２、ＲＡＭ１０３、ＨＤ１０５、ＣＤ／ＤＶＤ１０７などの記録媒体に格納されているプログラムを、ＣＰＵ１０１が実行することによって、または図１及び図２に示した音声Ｉ／Ｆ１１３によって、その機能を実現する。
（再生区間情報の内容）
つぎに、再生区間情報生成部４１２によって生成される再生区間情報の一例について説明する。ここでは、再生区間情報の一例として、楽曲をあらわす楽曲情報のサビ部分のフレーズを再生区間として設定したフレーズ情報ファイルについて説明する。図５および図６は、フレーズ情報ファイルのデータフォーマットの一例を示す説明図である。
【００４１】
図５に示すフレーズ情報ファイルのデータフォーマット５００は、たとえば、「Ｓ０３１５０１Ｅ０３３５５９」とあらわすことができる。ここで、「Ｓ０３１５０１」は、再生区間の再生開始時間５０１、すなわち、曲頭から３分１５秒０１フレームのアドレス位置をあらわしている。
【００４２】
また、「Ｅ０３３５５９」は、再生区間の再生終了時間５０２、すなわち、曲頭から３分３５秒５９フレームのアドレス位置をあらわしている。また、フレームのアドレス位置については、データ形式がＭＰ３やＷＭＡの場合は、音楽データサンプル数とビットレートとの関係から演算によって算出されたフレーム相当の位置をあらわしている。一方、データ形式が非圧縮データの場合は、再生時間情報で示されるアドレス位置そのものを指す。
【００４３】
また、このフレーズ情報ファイルは、図３に示すディスク番号０００１の１曲目（トラック番号０１）のサビ部分のフレーズ情報ファイルである。曲名「ＮＥＷＳ」のデータファイルのデータ圧縮形式がＭＰ３であるとすると、このフレーズ情報ファイルのファイル名は、「ＴＲＡＣＫ０１．ＭＰ３．Ｓ２０」とあらわすことができる。この「Ｓ２０」は、フレーズの時間長をあらわしており、この場合は２０秒である。
【００４４】
また、１曲中にサビ部分のフレーズを複数（たとえば２箇所）設定することもできる。たとえば、図６に示すフレーズ情報ファイルのデータフォーマット６００は、図５に示したデータフォーマット５００の後に、データフォーマット「Ｓ０４２３０１Ｅ０４３０３３」を付加することによって生成することができる。
【００４５】
この付加されたデータフォーマットの「Ｓ０４２３０１」は、次の再生区間の再生開始時間６０１、すなわち、曲頭から４分２３秒０１フレームのアドレス位置をあらわしている。また、「Ｅ０４３０３３」は、次の再生区間の再生終了時間６０２、すなわち、曲頭から４分３０秒３３フレームの再生位置をあらわしている。
【００４６】
また、フレーズ時間長は７秒であるため、このフレーズ情報ファイルのファイル名は、「ＴＲＡＣＫ０１．ＭＰ３．Ｓ２７」とあらわすことができる。この「Ｓ２７」は、２つのフレーズの合計時間長をあらわしており、この場合は２７秒である。
【００４７】
また、複数のディスクの曲からなるプレイリストが作成されている場合は、プレイリストごとにフレーズ情報ファイルを生成することができる。たとえば、図７に示すように、ファイル名「ＵＰＬ００１．ＰＬ」のプレイリストのデータフォーマット７００が、「０００１０１０００９０５」である場合について説明する。
【００４８】
このプレイリストのデータフォーマット７００は、２つのディスクに収録されている曲を一曲ずつ選択した例である。すなわち、図７に示すように、このデータフォーマット７００では、ディスク番号７０１の情報が「０００１」とされており、そのトラック番号７０２の情報が「０１」とされている。また、ディスク番号７０３の情報が「０００９」とされており、そのトラック番号７０４の情報が「０５」とされている。
【００４９】
すなわち、このプレイリストは、ディスク番号７０１の情報「０００１」内のトラック番号７０２の情報「０１」の楽曲情報（図３に示す曲名「ＮＥＷＳ」）と、ディスク番号７０２の情報「０００９」内のトラック番号７０４の情報「０５」の楽曲情報（図３に示す曲名「勝利の水」）からなるプレイリストであることを意味する。
【００５０】
また、図８に示すように、このフレーズ情報ファイルのデータフォーマット８００は、「０００１０１Ｓ０３１５０１Ｅ０３２５３５０００２０２Ｓ０２０４０１Ｅ０２１４２４」とされている。このデータフォーマット８００には、１曲目のフレーズとして、先頭から、ディスク番号７０１の情報「０００１」およびトラック番号７０２の情報「０１」が配列されており、つづいて、フレーズの開始時刻「Ｓ０３１５０１」と終了時刻「Ｅ０３２５３５」からなるフレーズ再生区間８０１の情報が配列されている。
【００５１】
また、このデータフォーマット８００は、２曲目のフレーズとして、フレーズ再生区間８０１の情報につづいて、ディスク番号７０３の情報「０００９」およびトラック番号７０４の情報「０５」が配列されており、つづいて、フレーズの開始時刻「Ｓ０２０４０１」と終了時刻「Ｅ０２１４２４」からなるフレーズ再生区間８０２の情報が配列されている。
【００５２】
すなわち、ディスク番号「０００１」のトラック番号「０１」の楽曲情報（図３に示す曲名「ＮＥＷＳ」）については、３分１５秒０１フレームから３分２５秒３５フレームまでの再生区間（フレーズ時間長：１０秒）がサビ部分のフレーズとして設定されている。同様に、ディスク番号「０００９」のトラック番号「０５」の楽曲情報（図３に示す曲名「勝利の水」）については、２分０４秒０１フレームから２分１４秒２４フレームまでの再生区間（フレーズ時間長：１０秒）がサビ部分のフレーズとして設定されている。
【００５３】
また、２つのフレーズの合計時間長は２０秒で、１トラック当たりのフレーズの平均時間長は１０秒となるため、このフレーズ情報ファイルのファイル名は、「ＵＰＬ００１．ＰＬ．Ｓ１０」とあらわすことができる。この「Ｓ１０」は、１トラック当たりのフレーズの平均時間長をあらわしており、この場合は１０秒である。なお、この例では、プレイリストのファイルと、フレーズ情報ファイルと、を別々のファイルとしたが、フレーズ情報ファイルのみ生成し、プレイリストと兼用することとしてもよい。
（情報再生装置におけるフレーズ情報ファイルの生成処理手順）
つぎに、この発明の実施の形態にかかる情報再生装置４００における、再生区間情報としてのフレーズ情報ファイルの生成処理手順について説明する。図９は、この発明の実施の形態にかかる情報再生装置４００におけるフレーズ情報ファイルの生成処理手順を示すフローチャート、図１０は、フレーズ設定処理手順を示すフローチャート、図１１は、フレーズ微調整処理手順を示すフローチャート、図１２〜図１５は、図９〜図１１のフローチャートによる処理手順によって表示されるタッチパネル１１２の画面の一例を示す説明図である。
【００５４】
まず、フレーズ設定キーが押下されたか否かを判定する（ステップＳ９０１）。フレーズ設定キーが押下された場合（ステップＳ９０１：Ｙｅｓ）、シフト時間を１秒に設定する（ステップＳ９０２）。そして、現在再生中の楽曲情報のフレーズ情報ファイルが存在するか否かを判定する（ステップＳ９０３）。存在する場合は（ステップＳ９０３：Ｙｅｓ）、そのフレーズ情報ファイルをオープンする（ステップＳ９０４）。存在しない場合は（ステップＳ９０３：Ｎｏ）、フレーズ情報ファイルを新規作成する（ステップＳ９０５）。
【００５５】
つぎに、現在再生中の楽曲情報の曲頭をサーチする（ステップＳ９０６）。このとき、図１２に示すように、タッチパネル１１２の楽曲情報フレーム１２０１に楽曲情報が表示される。この図１２では、たとえば、楽曲情報として、プレイリスト番号「０００１」の、およびアルバム名「ＪＵＳＴＩＣＥ」、トラック番号「０１」、曲名「ＮＥＷＳ」、再生時間「４’２４”（４分２４秒）」が表示される。そして、曲頭から再生を開始する（ステップＳ９０７）。このときフレーズ番号Ｘを１に設定する（ステップＳ９０８）。そして、図１２に示すように、タッチパネル１１２上に、フレーズＸの設定／微調整情報１２０２を表示する（ステップＳ９０９）。
【００５６】
このフレーズＸの設定／微調整情報１２０２は、たとえば、図１２に示すように、ユーザが押下することによって時間軸１２０３の軸方向に移動可能な開始スライダ１２０４、開始スライダ１２０４とともに移動してフレーズＸ（Ｘ＝１）の開始時刻を指示するための開始ライン１２０５、開始ライン１２０５の先端において開始時刻を表示する開始時刻フレーム１２０６、ユーザが押下することによって時間軸１２０３の軸方向に移動可能な終了スライダ１２０７、終了スライダ１２０７とともに移動してフレーズＸ（Ｘ＝１）の終了時刻を指示するための終了ライン１２０８、終了ライン１２０８の先端において終了時刻を表示する終了時刻フレーム１２０９としてあらわすことができる。
【００５７】
さらに、開始ライン１２０５の位置を再生開始側にシフトする開始位置前シフトキー１２１０、開始ライン１２０５の位置を再生終了側にシフトする開始位置後シフトキー１２１１、終了ライン１２０８の位置を再生開始側にシフトする終了位置前シフトキー１２１２、終了ライン１２０８の位置を再生終了側にシフトする終了位置後シフトキー１２１３などのようにあらわすことができる。
【００５８】
そして、図９に示すように、一定時間経過するごとに（ステップＳ９１０：Ｙｅｓ）、音声レベルをＲＡＭ１０３に記憶し（ステップＳ９１１）、ＲＡＭ１０３に記憶された音声レベルを読み出して、音声レベルの波形表示を更新する（ステップＳ９１２）。これにより、図１２に示すように、音声レベルの波形１２１４の時間的変化を表示することができる。
【００５９】
そして、フレーズ設定処理（ステップＳ９１３）とフレーズ微調整処理（ステップＳ９１４）を実行する。フレーズ設定処理と設定フレーズ微調整処理については後述する。なお、フレーズ設定処理では、図１２に示したタッチパネル１１２の表示は、図１３に示すように更新される。
【００６０】
このあと、図１３に示す決定キー１２１５が押下されたか否かを判定する（ステップＳ９１５）。決定キー１２１５が押下されていない場合は（ステップＳ９１５：Ｎｏ）、ステップＳ９１０に移行する。一方、決定キー１２１５が押下された場合は（ステップＳ９１５：Ｙｅｓ）、フレーズＸ（Ｘ＝１）のフレーズ開始時刻およびフレーズ終了時刻をフレーズ情報ファイルに書き込む（ステップＳ９１６）。
【００６１】
そして、フレーズ追加キー１２１６が押下されたか否かを判定する（ステップＳ９１７）。フレーズ追加キー１２１６が押下された場合は（ステップＳ９１７：Ｙｅｓ）、フレーズ番号を１つインクリメントし（ステップＳ９１８）、ステップＳ９０９に移行する。このとき、図１４に示すように、フレーズＸ（Ｘ＝２）についての設定／微調整情報１２１７が表示される。
【００６２】
この図１４に示すフレーズＸ（Ｘ＝２）の設定／微調整情報１２１７は、たとえば、図１２に示したフレーズＸ（Ｘ＝１）の設定／微調整情報１２０２と同様、開始スライダ１２１８、開始ライン１２１９、開始時刻フレーム１２２０、終了スライダ１２２１、終了ライン１２２２、終了時刻フレーム１２２３、開始位置前シフトキー１２２４、開始位置後シフトキー１２２５、終了位置前シフトキー１２２６、終了位置後シフトキー１２２７などのようにあらわすことができる。
【００６３】
また、フレーズ追加キー１２１６が押下されない場合（ステップＳ９１７：Ｎｏ）、楽曲情報の再生が終了したか否かを判定する（ステップＳ９１９）。終了していない場合は（ステップＳ９１９：Ｎｏ）、ステップＳ９１０に移行する。一方、終了した場合は（ステップＳ９１９：Ｙｅｓ）、図１５に示すように、フレーズが確定し、フレーズ時間長を算出する（ステップＳ９２０）。そして、フレーズ情報ファイルをクローズする（ステップＳ９２１）。
【００６４】
そして、トラック番号、データ形式、およびフレーズ時間長に基づいて、フレーズ情報ファイルのファイル名を更新する（ステップＳ９２２）。そして、すべての楽曲情報の再生が終了したか否かを判定する（ステップＳ９２３）。すべての楽曲情報が再生された場合は（ステップＳ９２３：Ｙｅｓ）、終了する。一方、再生されていない楽曲情報がある場合は（ステップＳ９２３：Ｎｏ）、次の楽曲情報を再生中の楽曲情報に設定し（ステップＳ９２４）、ステップＳ９０６に移行する。
（フレーズ設定処理手順）
つぎに、フレーズ設定処理手順について説明する。図１０はフレーズ設定処理手順を示すフローチャートである。まず、図１２に示すフレーズ開始スライダ１２０４が押下されているか否かを判定する（ステップＳ１００１）。押下されていない場合は（ステップＳ１００１：Ｎｏ）、ステップＳ１００６に移行する。
【００６５】
一方、押下されている場合は（ステップＳ１００１：Ｙｅｓ）、時間軸１２０３の押下座標を更新する（ステップＳ１００２）。そして、更新された押下座標に対応して音声レベルの波形１２１４も更新する（ステップＳ１００３）。
【００６６】
たとえば、図１６に示すように、ユーザが開始スライダ１２０４を押下した状態で右方向にスライドさせると、音声レベルの波形１２１４も開始ライン１２０５に追従して右方向に形成される。同様に、図１７に示すように、ユーザが開始スライダ１２０４を押下して左方向にスライドさせると、音声レベルの波形１２１４も開始ライン１２０５に追従し、音声レベルの波形１２１４は左方向に戻された分消滅する。
【００６７】
そして、図１０に示すように、押下されている開始スライダ１２０４が非押下状態に変化したか否かを判定する（ステップＳ１００４）。非押下状態に変化した場合（ステップＳ１００４：Ｙｅｓ）、押下から非押下に変化した時点での押下座標に対応する時刻を、フレーズ開始時刻としてＲＡＭ１０３に記憶する（ステップＳ１００５）。楽曲情報はこのフレーズ開始時刻から再生される。
【００６８】
つぎに、終了スライダ１２０７が押下されているか否かを判定する（ステップＳ１００６）。押下されていない場合は（ステップＳ１００６：Ｎｏ）、ステップＳ９１０に移行する。一方、押下されている場合は（ステップＳ１００６：Ｙｅｓ）、時間軸１２０３の押下座標を更新する（ステップＳ１００７）。そして、更新された押下座標に対応して音声レベルの波形１２１４も更新する（ステップＳ１００８）。
【００６９】
そして、押下されている終了スライダ１２０７が非押下状態に変化したか否かを判定する（ステップＳ１００９）。非押下状態に変化した場合（ステップＳ１００９：Ｙｅｓ）、押下から非押下に変化した時点での押下座標に対応する時刻を、フレーズ終了時刻としてＲＡＭ１０３に記憶する（ステップＳ１０１０）。楽曲情報はこのフレーズ終了時刻から再生される。これによりフレーズＸ（Ｘ＝１）のフレーズ（再生区間）を指定することができる。
（設定フレーズ微調整処理手順）
つぎに、設定フレーズ微調整処理手順について説明する。図１１は、フレーズ微調整処理手順を示すフローチャートである。図１１に示すように、フレーズ開始位置前シフトキー１２１０が押下された場合（ステップＳ１１０１：Ｙｅｓ）、フレーズ開始時刻をＳ秒（Ｓ＝１）減算し（ステップＳ１１０２）、そのフレーズ開始時刻をＲＡＭ１０３に記憶する（ステップＳ１１０３）。
【００７０】
そして、曲頭からフレーズ開始時刻に相当するデータ数を読み出すことにより、フレーズ開始時刻をサーチする（ステップＳ１１０４）。そして、サーチされたフレーズ開始時刻から楽曲情報を再生する（ステップＳ１１０５）。
【００７１】
つぎに、ステップＳ１１０５の後、またはフレーズ開始位置前シフトキー１２１０が押下されなかった場合（ステップＳ１１０１：Ｎｏ）、フレーズ開始位置後シフトキー１２１１が押下されたか否かを判定する（ステップＳ１１０６）。押下された場合（ステップＳ１１０６：Ｙｅｓ）、フレーズ開始時刻をＳ秒（Ｓ＝１）加算し（ステップＳ１１０７）、そのフレーズ開始時刻をＲＡＭ１０３に記憶する（ステップＳ１１０８）。
【００７２】
そして、曲頭からフレーズ開始時刻に相当するデータ数を読み出すことにより、フレーズ開始時刻をサーチする（ステップＳ１１０９）。そして、サーチされたフレーズ開始時刻から楽曲情報を再生する（ステップＳ１１１０）。
【００７３】
また、ステップＳ１１１０の後、またはフレーズ開始位置後シフトキー１２１１が押下されなかった場合（ステップＳ１１０６：Ｎｏ）、フレーズ終了位置前シフトキー１２１２が押下されたか否かを判定する（ステップＳ１１１１）。押下された場合（ステップＳ１１１１：Ｙｅｓ）、フレーズ終了時刻をＳ秒（Ｓ＝１）減算し（ステップＳ１１１２）、そのフレーズ終了時刻をＲＡＭ１０３に記憶する（ステップＳ１１１３）。
【００７４】
そして、曲頭からフレーズ終了時刻に相当するデータ数を読み出すことにより、フレーズ終了時刻の数秒手前（たとえば３〜５秒程度）の時刻をサーチする（ステップＳ１１１４）。そして、サーチされたフレーズ終了時刻の数秒手前の時刻から楽曲情報を再生する（ステップＳ１１１５）。
【００７５】
つぎに、ステップＳ１１１５の後、またはフレーズ終了位置前シフトキー１２１２が押下されなかった場合（ステップＳ１１１１：Ｎｏ）、フレーズ終了位置後シフトキー１２１３が押下されたか否かを判定する（ステップＳ１１１６）。押下されなかった場合（ステップＳ１１１６：Ｎｏ）、終了する。
【００７６】
一方、押下された場合（ステップＳ１１１６：Ｙｅｓ）、フレーズ終了時刻をＳ秒（Ｓ＝１）加算し（ステップＳ１１１７）、そのフレーズ終了時刻をＲＡＭ１０３に記憶する（ステップＳ１１１８）。
【００７７】
そして、曲頭からフレーズ終了時刻に相当するデータ数を読み出すことにより、フレーズ終了時刻の数秒手前（たとえば３〜５秒程度）の時刻をサーチする（ステップＳ１１１９）。そして、サーチされたフレーズ終了時刻の数秒手前（たとえば３〜５秒程度）の時刻から楽曲情報を再生する（ステップＳ１１２０）。これにより、フレーズ開始時刻とフレーズ終了時刻を秒刻みで微調整することができる。
【００７８】
上述したフレーズ設定処理によれば、たとえば、ユーザは、楽曲情報によって再生された楽曲を聞きながら、サビやイントロなどの楽曲情報の一部分のフレーズの設定を、簡単な操作によっておこなうことができる。また、あらかじめデータ提供者によって提供されたフレーズが、ユーザの希望するフレーズと一致しない場合、ユーザは、希望するフレーズを簡単な操作によって設定することができる。また、ユーザは、設定されたフレーズについても、上述したフレーズ設定処理で再設定することで、用途や好みに応じてフレーズの編集作業を容易におこなうことができる。
【００７９】
また、フレーズ設定時においては、経時的に変化する再生中の音声などの音声レベルの波形を、時系列的に表示画面上に表示される。たとえば、楽曲情報のサビ部分については比較的音声が高くなるため、ユーザは、サビ部分の音声レベルの波形を参照することによって、開始スライダ１２０４、１２１８および終了スライダ１２０７、１２２１をスライドさせて、サビ部分のフレーズ開始時刻またはフレーズ終了時刻に簡単に指示することができる。
【００８０】
また、ユーザが、開始スライダ１２０４、１２１８を、サビ部分のフレーズ開始時刻に指示すると、その時刻から楽曲情報が再生される。したがって、開始スライダ１２０４、１２１８によって指示されたフレーズ開始時刻に相当するメロディを確認することができる。
【００８１】
また、ユーザは、サビ部分のフレーズ終了時刻については、終了スライダ１２０７、１２２１をサビ部分のフレーズ終了時刻に指示すると、そのフレーズ終了時刻よりも所定時間（たとえば３秒〜５秒程度）手前から再生することができる。これにより、設定したフレーズが終了する経過を聞くことにより、フレーズ終了時刻が正確に設定されたか否かを簡単に確認することができる。
【００８２】
また、ユーザは、シフトキー１２１０〜１２１３、１２２４〜１２２７によって、フレーズ開始時刻およびフレーズ終了時刻の秒刻みまたはフレーム刻みのシフトをおこなうことができる。これにより、設定したフレーズのフレーズ開始時刻やフレーズ終了時刻を少しずつ変更することで、フレーズ開始時刻およびフレーズ終了時刻の微調整をおこなうことができ、操作性の向上を図ることができる。
【００８３】
（フレーズ再生処理手順、予約再生処理手順、および音質変更処理手順）
つぎに、任意のプレイリストにおける、フレーズ再生処理手順、予約再生処理手順、および音質変更処理手順について説明する。図１８は、タッチパネル１１２におけるフレーズ再生モード時の表示画面の一例を示す説明図、図１９および図２０は、フレーズ再生処理手順、予約再生処理手順、および音質変更処理手順を示すフローチャートである。
【００８４】
図１８に示すように、タッチパネル１１２には、フレーズ再生キー１８０１と、フレーズ内音質変更ＯＮキー１８０２と、フレーズ内音質変更ＯＦＦキー１８０３と、が表示されている。フレーズ再生キー１８０１を押下すると、フレーズ再生が開始される。また、音質変更ＯＮキー１８０２を押下すると、音質変更がＯＮとなり、あらかじめ音質変更回路２０６によって変更された音質によってフレーズが再生される。この音質変更をＯＦＦにする場合は、音質変更ＯＦＦキー１８０３を押下する。
【００８５】
そして、図１９に示すように、フレーズ再生キー１８０１が押下された場合（ステップＳ１９０１：Ｙｅｓ）、任意のプレイリストのフレーズ情報ファイルをオープンして、その内容をＲＡＭ１０３に取り込む（ステップＳ１９０２）。そして、フレーズ情報ファイルのファイル数ｎを算出する（ステップＳ１９０３）。そして、ＮをＮ＝１に設定する（ステップＳ１９０４）。
【００８６】
つぎに、Ｎ番目のフレーズ情報ファイルに記述されているトラック番号からプレイリスト内の楽曲情報を抽出する（ステップＳ１９０５）。抽出したＮ番目（Ｎ＝１）の楽曲情報と、その楽曲情報のフレーズ情報ファイルに基づいて、Ｎ番目（Ｎ＝１）の楽曲情報のフレーズ再生をおこなう（ステップＳ１９０６）。具体的には、フレーズ情報ファイルのフレーズ開始時刻から楽曲情報のフレーズ再生をおこない、フレーズ情報ファイルの終了時刻でフレーズ再生を停止する。
【００８７】
そして、このＮ番目の楽曲情報のフレーズ再生中に予約入力があったか否かを判定する（ステップＳ１９０７）。予約入力があった場合は（ステップＳ１９０７：Ｙｅｓ）、その楽曲情報を予約する（ステップＳ１９０８）。予約入力がなかった場合（ステップＳ１９０７：Ｎｏ）または楽曲情報を予約した後（ステップＳ１９０８）、Ｎ番目の楽曲情報のフレーズ再生が終了したか否かを判定する（ステップＳ１９０９）。
【００８８】
終了していない場合は（ステップＳ１９０９：Ｎｏ）、ステップＳ１９０６に移行する。終了した場合は（ステップＳ１９０９：Ｙｅｓ）、Ｎの値を１つインクリメントする（ステップＳ１９１０）。そして、Ｎ＝ｎでない場合は（ステップＳ１９１１：Ｎｏ）、ステップＳ１９０６に移行する。一方、Ｎ＝ｎの場合は（ステップＳ１９１１）、図２０に示すように、予約された楽曲情報があるか否かを判定する（ステップＳ２００１）。
【００８９】
図２０に示すように、予約された楽曲情報がある場合（ステップＳ２００１：Ｙｅｓ）、予約された楽曲情報の再生を開始する（ステップＳ２００２）。再生時刻Ｔがフレーズ開始時刻ＴＳに到達していない場合（ステップＳ２００３：Ｎｏ）、ステップＳ２００２に移行する。一方、再生時刻Ｔがフレーズ開始時刻ＴＳに到達した場合（ステップＳ２００３：Ｙｅｓ）、あらかじめ、図１８に示すフレーズ内音質変更ＯＮキー１８０２の押下がされていたか否かを判定する（ステップＳ２００４）。
【００９０】
フレーズ内音質変更ＯＮキー１８０２が押下されていない場合は（ステップＳ２００４：Ｎｏ）、ステップＳ２００８に移行する。一方、あらかじめ、フレーズ内音質変更ＯＮキー１８０２が押下された場合は（ステップＳ２００４：Ｙｅｓ）、音質を変更して音声出力する（ステップＳ２００５）。この音声出力は、再生時刻Ｔがフレーズ終了時刻ＴＥを経過するまで継続する（ステップＳ２００６：Ｎｏ）。
【００９１】
そして、再生時刻Ｔがフレーズ終了時刻ＴＥを経過した場合（ステップＳ２００６：Ｙｅｓ）、ステップＳ２００５で変更した音質を元の音質に戻して音声出力する（ステップＳ２００７）。そして、次のフレーズがある場合（ステップＳ２００８：Ｙｅｓ）、ステップＳ２００３に移行する。
【００９２】
一方、次のフレーズがない場合（ステップＳ２００８：Ｎｏ）、再生終了したか否かを判定する（ステップＳ２００９）。再生が終了した場合（ステップＳ２００９：Ｙｅｓ）、ステップＳ２００１に移行する。これにより、フレーズ設定によって設定したフレーズについては、フレーズ以外の部分と異なる音質によって音声出力をすることができる。
【００９３】
このフレーズ再生処理によれば、ユーザは、フレーズ情報ファイルを用いて複数の楽曲情報を連続してフレーズ再生することにより、メドレーを楽しむことができる。また、フレーズ情報ファイルによるフレーズ開始時刻とフレーズ終了時刻の時間間隔を短く設定しておくことにより、楽曲情報のインデックスとして利用することができる。
【００９４】
また、楽曲情報のインデックスとして利用する場合、上述した予約再生処理によって、複数の楽曲情報を連続してフレーズ再生したときに、フレーズ再生中に楽曲情報を指定することにより予約入力をすることができる。これにより、すべての楽曲情報のフレーズ再生が終了した後、予約入力をした曲について通常の再生処理をおこなうことができる。したがって、サビなどの特徴部分を、フレーズ再生をすることにより、複数の楽曲情報から、ユーザが聞きたい楽曲情報のみを選ぶことができ、ユーザの嗜好にあった選曲を効率よくおこなうことができる。
【００９５】
また、音質変更処理によれば、たとえば、設定したフレーズが楽曲のサビ部分である場合は、サビ部分のボーカル音をキャンセルすることにより、ユーザはカラオケのようにサビ部分を歌って楽しむことができる。また、サビ部分のエコーを調整することによって、サビ部分の音声の臨場感を高めることができる。また、サビ部分の音量を調整することによって、音楽鑑賞の気分を高めることができる。
【００９６】
特に、この情報再生装置４００の一例であるカーステレオなどによって運転中に楽曲を聴く場合、上述のような音質変更処理によって、自動的にサビ部分などの音質を変化させることにより、運転中の音楽鑑賞をより楽しくすることができる。また、その際、運転者は、ボーカル音、エコー、音量の調整を手動操作する必要がなく、視線をカーステレオに向ける必要もないため、安全な運転をおこなうことができる。
（表示部の他の例）
なお、上述した情報再生装置４００では、表示部４０７の一例としてタッチパネル１１２を用いることとしているが、タッチパネル１１２に限定されることはなく、ディスプレイ１１２を用いることとしてもよい。この場合は、入力キーやキーボード／マウス１１０などの入力装置を用いて各種入力をおこなうことができる。
【００９７】
また、このディスプレイ／タッチパネル１１２によって音声レベルの波形１２１４を表示することとしているが、表示される内容は、音声レベルの波形１２１４に限定されることはない。たとえば、図２１に示すように、所定の方向に配列された複数のＬＥＤからなるＬＥＤセグメント２１００によって時間方向における再生状態をバー表示することとしてもよい。このＬＥＤセグメント２１００は楽曲情報が再生されると左端のＬＥＤ２１０１から順番に点灯し、楽曲情報の再生が終了するときは、右端のＬＥＤ２１０２が点灯する。
【００９８】
この場合、楽曲情報の再生中に、図示しないフレーズ開始入力キーが押下されると、現在の再生時刻に相当するＬＥＤ２１０３が点滅する。楽曲情報の再生は継続し、図示しないフレーズ終了入力キーが押下されると、現在の再生時刻に相当するＬＥＤ２１０４が点滅する。そして、図示しない決定キーを押下して、フレーズの開始時刻と終了時刻を指定することができる。
【００９９】
これにより、たとえば、カーステレオなどのような、ディスプレイ／タッチパネル１１２を備えていない情報再生装置であっても、簡単な操作によってフレーズ設定をおこなうことができる。
【０１００】
また、上述した実施の形態では、開始スライダ１２０４、１２１８および終了スライダ１２０７、１２２１によって、フレーズ開始時刻およびフレーズ終了時刻の指定をおこなって、フレーズ再生区間を設定することとしているが、フレーズ再生時刻を２箇所指定することにより、フレーズ再生時刻が早い方の時刻をフレーズ開始時刻、遅い方の時刻をフレーズ終了時刻とすることもできる。
【０１０１】
（フレーズ設定処理手順の他の例）
また、上述した実施の形態のフレーズ設定処理では、フレーズごとにフレーズ開始時刻およびフレーズ終了時刻をユーザの操作によって設定することとしているが、たとえば５秒、１０秒などの所定の時間をあらかじめ設定しておくことにより、フレーズ開始時刻のみを指定するだけで、フレーズ終了時刻を設定する構成としてもよい。この場合のフレーズ設定処理手順について、図２２のフローチャートを用いて説明する。
【０１０２】
図２２に示すように、フレーズ開始スライダ１２０４が押下されない場合（ステップＳ２２０１：Ｎｏ）、図９に示すステップＳ９１０に移行する。一方、フレーズ開始スライダ１２０４が押下されている場合（ステップＳ２２０１：Ｙｅｓ）、時間軸１２０３の押下座標を更新する（ステップＳ２２０２）。そして、更新された押下座標に対応して音声レベルの波形１２１４も更新する（ステップＳ２２０３）。
【０１０３】
そして、押下されている開始スライダ１２０４が非押下状態に変化したか否かを判定する（ステップＳ２２０４）。非押下状態に変化した場合（ステップＳ２２０４：Ｙｅｓ）、押下から非押下に変化した時点での押下座標に対応する時刻を、フレーズ開始時刻としてＲＡＭ１０３に記憶する（ステップＳ２２０５）。楽曲情報はこのフレーズ開始時刻から再生される。
【０１０４】
そして、たとえば３秒、５秒、１０秒などのあらかじめ設定された所定時間を、フレーズ開始時刻に加算して、フレーズ終了時刻を算出する（ステップＳ２２０６）。そして、算出したフレーズ終了時刻をＲＡＭ１０３に記憶する（ステップＳ２２０７）。そして、フレーズ終了時刻まで、音声レベルの波形１２１４とフレーズ終了スライダを更新する（ステップＳ２２０８）。
【０１０５】
このフレーズ設定処理によれば、ユーザは、フレーズ開始時刻のみを指定するだけで、フレーズ情報ファイルを作成することができる。これにより、複数の楽曲情報ごとに設定されるフレーズの再生時間を一定の時間に統一してフレーズ設定をおこなうことができ、これらのフレーズを連続して再生することにより、複数の楽曲情報のインデックスとして利用することができる。
【０１０６】
また図示はしないが、フレーズ終了時刻を指定して、その指定したフレーズ終了時刻から、あらかじめ設定された所定時間を減算することにより、フレーズ開始時刻を算出することとしてもよい。また、フレーズ開始時刻またはフレーズ終了時刻のいずれか一方のみを指定することによりフレーズ設定をおこなうことができるため、フレーズ設定操作を簡略化することができる。
【０１０７】
以上説明したように、この実施の形態にかかる情報再生装置４００によれば、たとえば、ユーザは、サビやイントロなどの楽曲の一部分のフレーズの設定を、簡単な操作によっておこなうことができる。
【０１０８】
また、楽曲情報の一部を抽出してコピーや保存をおこなうと劣化する場合があるが、上述した情報再生装置４００によって生成されたフレーズ情報ファイルのデータ内容には、楽曲情報、特に図３に示した楽曲データファイルが含まれていない。したがって、楽曲情報のコピーや保存はおこなう必要がなく、楽曲情報の音質が劣化することもない。よって、楽曲情報と同質の音質によってフレーズ再生をおこなうことができる。
【０１０９】
また、フレーズ情報ファイルは、テキストデータによって構成することができるため、汎用のテキストエディタによって編集することができる。したがって、情報再生装置４００がない場合でも、汎用のテキストエディタを備えるパーソナル・コンピュータ、ＰＤＡ、携帯電話などの情報端末を使用することにより、フレーズ情報ファイルの修正をおこなったり、ネットワークを介してフレーズ情報ファイルの送受信をおこなうことができる。
【０１１０】
また、上述した実施の形態では、連続的に再生可能な再生情報として楽曲情報を用いたが、連続的に再生可能であれば、他の音声情報であってもよい。このような音声情報としては、楽曲情報のほか、たとえば、語学学習用会話や会議の録音内容などが挙げられる。
【０１１１】
たとえば、語学学習用会話の場合は、聞き取りにくいフレーズのみを設定してリピート再生をおこなうことにより、ユーザは、不要なフレーズを省略して、聞き取りにくいフレーズのみを集中して聞き取ることができる。
【０１１２】
また、会議の録音内容の場合は、会議に参加した特定の人物の発言のみを再生区間情報として設定することにより、その特定の人物の発言のみを再生することができる。これにより、会議の録音内容をすべて聞きなおす必要がなく、特定の人物の発言内容を集中的に聞き込むことができ、情報収集の効率化を図ることができる。
【０１１３】
また、再生情報は、音声情報のほか、映像情報であってもよい。映像情報としては、たとえば、映画や音楽のライブ映像、ドキュメンタリーなど市販されている映像コンテンツや、テレビ番組を録画した映像、ビデオカメラで撮影した映像などが挙げられる。このような映像情報についても、上述した音声情報と同様に、再生区間情報を作成することにより、上述した音声情報と同様の効果を得ることができる。
【０１１４】
たとえば、一例として野球中継の映像情報については、特定の打者の打席のみを再生区間として設定しておくことにより、その特定の打者の打席のみを視聴することができる。これにより、野球中継全体を視聴しなおす必要がなく、ユーザが希望する打者についての打席の映像のみを視聴することができ、情報収集の効率化を図ることができる。また、打者がアウトになったりヒットを打ったりしたシーンのみを再生区間として設定することにより、ダイジェスト版のように再生することもできる。
【０１１５】
なお、ここでは野球中継の例について説明したが、その他の映像情報についても、特定の人物や特定のシーンを再生区間として設定することにより、ユーザごとに映像情報のダイジェスト版のように再生をおこなうことができる。
【０１１６】
なお、この実施の形態で説明した情報再生方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワーク１１６を介して配布することが可能な伝送媒体であってもよい。
【０１１７】
また、上述した実施の形態にかかる情報再生装置４００は、たとえば、ＣＤプレーヤ、ＭＤプレーヤ、ＭＤレコーダ、ＤＶＤプレーヤ、ＤＶＤレコーダ、ＭＰ３やＷＭＡなどの圧縮データを用いたプレーヤ、カラオケ装置などに適用することができる。また、この情報再生装置は、たとえば、家庭用、業務用、携帯型、車載型などの情報再生装置としても利用することができる。
【図面の簡単な説明】
【０１１８】
【図１】この発明の実施の形態にかかる情報再生装置のハードウェア構成を示すブロック図である。
【図２】この発明の実施の形態にかかる情報再生装置の音声Ｉ／Ｆのハードウェア構成の一例を示すブロック図である。
【図３】この発明の実施の形態にかかる情報再生装置の再生情報データベースのデータ構造を示す説明図である。
【図４】この発明の実施の形態にかかる情報再生装置の機能的構成を示すブロック図である。
【図５】フレーズ情報ファイルのデータフォーマットの一例を示す説明図である。
【図６】フレーズ情報ファイルのデータフォーマットの別の一例を示す説明図である。
【図７】プレイリストのデータフォーマットの一例を示す説明図である。
【図８】プレイリストを用いたフレーズ情報ファイルのデータフォーマットの一例を示す説明図である。
【図９】この発明の実施の形態にかかる情報再生装置におけるフレーズ情報ファイルの生成処理手順を示すフローチャートである。
【図１０】この発明の実施の形態にかかる情報再生装置におけるフレーズ設定処理手順を示すフローチャートである。
【図１１】この発明の実施の形態にかかる情報再生装置におけるフレーズ微調整処理手順を示すフローチャートである。
【図１２】この発明の実施の形態にかかる情報再生装置におけるタッチパネルの画面の一例を示す説明図である。
【図１３】この発明の実施の形態にかかる情報再生装置におけるタッチパネルの画面の一例を示す説明図である。
【図１４】この発明の実施の形態にかかる情報再生装置におけるタッチパネルの画面の一例を示す説明図である。
【図１５】この発明の実施の形態にかかる情報再生装置におけるタッチパネルの画面の一例を示す説明図である。
【図１６】開始スライダを時間軸の再生終了方向にスライドさせた一例を示す説明図である。
【図１７】開始スライダを時間軸の再生開始方向にスライドさせた一例を示す説明図である。
【図１８】この発明の実施の形態にかかる情報再生装置のタッチパネルにおけるフレーズ再生モード時の表示画面の一例を示す説明図である。
【図１９】この発明の実施の形態にかかる情報再生装置におけるフレーズ再生処理手順、予約再生処理手順、および音質変更処理手順の前半を示すフローチャートである。
【図２０】この発明の実施の形態にかかる情報再生装置におけるフレーズ再生処理手順、予約再生処理手順、および音質変更処理手順の後半を示すフローチャートである。
【図２１】この発明の実施の形態にかかる情報再生装置の表示手段の他の例（ＬＥＤセグメント）を用いたフレーズ設定例を示す説明図である。
【図２２】この発明の実施の形態にかかる情報再生装置におけるフレーズ設定処理手順の他の例を示すフローチャートである。
【符号の説明】
【０１１９】
４００  情報再生装置
４０４  再生情報抽出部
４０５  情報再生部
４０６  音声出力部
４０７  表示部
４０８  再生情報指定部
４１０  音質変更部
４１１  再生区間指定部
４１２  再生区間情報生成部
【図１】
2005100541.tif 000003
【図２】
2005100541.tif 000004
【図３】
2005100541.tif 000005
【図４】
2005100541.tif 000006
【図５】
2005100541.tif 000007
【図６】
2005100541.tif 000008
【図７】
2005100541.tif 000009
【図８】
2005100541.tif 000010
【図９】
2005100541.tif 000011
【図１０】
2005100541.tif 000012
【図１１】
2005100541.tif 000013
【図１２】
2005100541.tif 000014
【図１３】
2005100541.tif 000015
【図１４】
2005100541.tif 000016
【図１５】
2005100541.tif 000017
【図１６】
2005100541.tif 000018
【図１７】
2005100541.tif 000019
【図１８】
2005100541.tif 000020
【図１９】
2005100541.tif 000021
【図２０】
2005100541.tif 000022
【図２１】
2005100541.tif 000023
【図２２】
2005100541.tif 000024